(57)【要約】【課題】  相隣接する防水シートの接合部における防水性能を高めることを可能とした防水シートの固定構造を提供することにある。【解決手段】  構造物上に複数の防水シートを相隣接する各防水シートの端縁が重なるように敷設し、下方に位置する前記防水シートの端縁に沿って、複数の固定アンカーを所定間隔で一列状に配置してなる帯状の固定部材を該固定アンカーを介して留め付けて該防水シートを前記構造物上に固定するとともに、前記固定部材の固定座面と下方に位置する前記防水シートとを接合し、上方に位置する前記防水シートの端縁を該固定部材ーを跨ぐようにして下方に位置する該防水シート上に接合して成ることを特徴とする。【選択図】    図１
2007039986.tif 000002
【特許請求の範囲】
【請求項１】
構造物上に複数の防水シートを相隣接する各防水シートの端縁が重なるように敷設し、下方に位置する前記防水シートの端縁に沿って、複数の固定アンカーを所定間隔で一列状に配置してなる帯状の固定部材を該固定アンカーを介して留め付けて該防水シートを前記構造物上に固定するとともに、前記固定部材の固定座面と下方に位置する前記防水シートとを接合し、上方に位置する前記防水シートの端縁を該固定部材ーを跨ぐようにして下方に位置する該防水シート上に接合して成ることを特徴とする防水シートの固定構造。
【請求項２】
構造物上に複数の防水シートを相隣接する各防水シートの端縁が重なるように敷設し、下方に位置する前記防水シートの端縁に沿って、複数の固定アンカーを所定間隔で一列状に配置してなる帯状の固定部材を各固定アンカーを介して留め付けて該防水シートを前記構造物上に固定するとともに、前記固定部材の固定座面と下方に位置する前記防水シートとを接合し、上方に位置する前記防水シートの端縁を該固定部材を跨ぐようにして下方に位置する該防水シート上に接合するとともに、上方に位置する該防水シートを下方に位置する該防水シートの端縁上に接合して成ることを特徴とする防水シートの固定構造。
【請求項３】
構造物上に複数の防水シートを相隣接する各防水シートの端縁が重なるように敷設し、下方に位置する前記防水シートの端縁に沿って、複数の固定アンカーを所定間隔で一列状に配置してなる帯状の固定部材を各固定アンカーを介して留め付けて該防水シートを前記構造物上に固定するとともに、前記固定部材の固定座面と下方に位置する前記防水シートとを接合し、上方に位置する前記防水シートの端縁を該固定部材を跨ぐようにして下方に位置する該防水シート上に接合するとともに、上方に位置する該防水シートと前記固定部材の固定座面とを接合して成ることを特徴とする防水シートの固定構造。
【請求項４】
構造物上に複数の防水シートを相隣接する各防水シートの端縁が重なるように敷設し、下方に位置する前記防水シートの端縁に沿って、複数の固定アンカーを所定間隔で一列状に配置してなる帯状の固定部材を各固定アンカーを介して留め付けて該防水シートを前記構造物上に固定するとともに、前記固定部材の固定座面と下方に位置する前記防水シートとを接合し、上方に位置する前記防水シートの端縁を該固定部材を跨ぐようにして下方に位置する該防水シート上に接合するとともに、上方に位置する前記防水シートと前記固定部材の固定座面とを接合し、かつ上方に位置する該防水シートを下方に位置する該防水シートの端縁上に接合して成ることを特徴とする防水シートの固定構造。
【請求項５】
構造物上に複数の防水シートを相隣接する各防水シートの端縁が重なるように敷設し、前記構造物と下方に位置する前記防水シートの端縁との間に粘着層を設け、下方に位置する前記防水シートの端縁に沿って、複数の固定アンカーを所定間隔で一列状に配置してなる帯状の固定部材を各固定アンカーを介して留め付けて該防水シートを前記構造物上に固定するとともに、前記固定部材の固定座面と下方に位置する前記防水シートとを接合し、上方に位置する前記防水シートの端縁を該固定部材を跨ぐようにして下方に位置する該防水シート上に接合して成ることを特徴とする防水シートの固定構造。
【請求項６】
構造物上に複数の防水シートを相隣接する各防水シートの端縁が重なるように敷設し、前記構造物と下方に位置する前記防水シートの端縁との間に粘着層を設け、下方に位置する前記防水シートの端縁に沿って、複数の固定アンカーを所定間隔で一列状に配置してなる帯状の固定部材を各固定アンカーを介して留め付けて該防水シートを前記構造物上に固定するとともに、前記固定部材の固定座面と下方に位置する前記防水シートとを接合し、上方に位置する前記防水シートの端縁を該固定部材を跨ぐようにして下方に位置する該防水シート上に接合するとともに、上方に位置する該防水シートを下方に位置する該防水シートの端縁上に接合して成ることを特徴とする防水シートの固定構造。
【請求項７】
構造物上に複数の防水シートを相隣接する各防水シートの端縁が重なるように敷設し、前記構造物と下方に位置する前記防水シートの端縁との間に粘着層を設け、下方に位置する前記防水シートの端縁に沿って、複数の固定アンカーを所定間隔で一列状に配置してなる帯状の固定部材を各固定アンカーを介して留め付けて該防水シートを前記構造物上に固定するとともに、前記固定部材の固定座面と下方に位置する前記防水シートとを接合し、上方に位置する前記防水シートの端縁を該固定部材を跨ぐようにして下方に位置する該防水シート上に接合するとともに、上方に位置する該防水シートと前記固定部材の固定座面とを接合して成ることを特徴とする防水シートの固定構造。
【請求項８】
構造物上に複数の防水シートを相隣接する各防水シートの端縁が重なるように敷設し、前記構造物と下方に位置する前記防水シートの端縁との間に粘着層を設け、下方に位置する前記防水シートの端縁に沿って、複数の固定アンカーを所定間隔で一列状に配置してなる帯状の固定部材を各固定アンカーを介して留め付けて該防水シートを前記構造物上に固定するとともに、前記固定部材の固定座面と下方に位置する前記防水シートとを接合し、上方に位置する前記防水シートの端縁を該固定部材を跨ぐようにして下方に位置する該防水シート上に接合するとともに、上方に位置する前記防水シートと前記固定部材の固定座面とを接合し、かつ上方に位置する該防水シートを下方に位置する該防水シートの端縁上に接合して成ることを特徴とする防水シートの固定構造。
【請求項９】
請求項１ないし請求項８の何れかに記載の防水シートの固定構造において、前記固定部材の固定座面とその下方に位置する前記防水シートとの接合は、電磁誘導加熱による熱融着または溶剤による溶融着または接着剤により形成されていることを特徴とする防水シートの固定構造。
【請求項１０】
請求項１ないし請求項９の何れかに記載の防水シートの固定構造において、前記粘着層は、遮水、防水、撥水機能を有する粘着材または粘着テープを、前記構造物上に施すことによって形成されていることを特徴とする防水シートの固定構造。
【発明の詳細な説明】
【技術分野】
【０００１】
本発明は、例えば、陸屋根などの防水シートの固定構造に関する。
【背景技術】
【０００２】
従来、この種の防水シートの固定構造としては、例えば、特許文献１，２などに開示されるように、防水シートの端部の固定に複数の固定アンカーを所定間隔で一列状に留め付けて防水シートを構造物上に固定するものが知られている。
【特許文献１】特許第１６８３２３２号公報
【特許文献２】特開平５−１４５６号公報
【発明の開示】
【発明が解決しようとする課題】
【０００３】
しかし、この公知例では、複数の固定アンカーを所定間隔で一列状に留め付けるため、各固定アンカー間における防止性処理が面倒であるという問題があった。
本発明は斯かる従来の問題点を解決するために為されたもので、その目的は、相隣接する防水シートの接合部における防水性能を高めることを可能とした防水シートの固定構造を提供することにある。
【課題を解決するための手段】
【０００４】
第一の発明は、 構造物上に複数の防水シートを相隣接する各防水シートの端縁が重なるように敷設し、下方に位置する前記防水シートの端縁に沿って、複数の固定アンカーを所定間隔で一列状に配置してなる帯状の固定部材を該固定アンカーを介して留め付けて該防水シートを前記構造物上に固定するとともに、前記固定部材の固定座面と下方に位置する前記防水シートとを接合し、上方に位置する前記防水シートの端縁を該固定部材ーを跨ぐようにして下方に位置する該防水シート上に接合して成ることを特徴とする。
【０００５】
第二の発明は、構造物上に複数の防水シートを相隣接する各防水シートの端縁が重なるように敷設し、下方に位置する前記防水シートの端縁に沿って、複数の固定アンカーを所定間隔で一列状に配置してなる帯状の固定部材を各固定アンカーを介して留め付けて該防水シートを前記構造物上に固定するとともに、前記固定部材の固定座面と下方に位置する前記防水シートとを接合し、上方に位置する前記防水シートの端縁を該固定部材を跨ぐようにして下方に位置する該防水シート上に接合するとともに、上方に位置する該防水シートを下方に位置する該防水シートの端縁上に接合して成ることを特徴とする。
【０００６】
第三の発明は、構造物上に複数の防水シートを相隣接する各防水シートの端縁が重なるように敷設し、下方に位置する前記防水シートの端縁に沿って、複数の固定アンカーを所定間隔で一列状に配置してなる帯状の固定部材を各固定アンカーを介して留め付けて該防水シートを前記構造物上に固定するとともに、前記固定部材の固定座面と下方に位置する前記防水シートとを接合し、上方に位置する前記防水シートの端縁を該固定部材を跨ぐようにして下方に位置する該防水シート上に接合するとともに、上方に位置する該防水シートと前記固定部材の固定座面とを接合して成ることを特徴とする。
【０００７】
第四の発明は、構造物上に複数の防水シートを相隣接する各防水シートの端縁が重なるように敷設し、下方に位置する前記防水シートの端縁に沿って、複数の固定アンカーを所定間隔で一列状に配置してなる帯状の固定部材を各固定アンカーを介して留め付けて該防水シートを前記構造物上に固定するとともに、前記固定部材の固定座面と下方に位置する前記防水シートとを接合し、上方に位置する前記防水シートの端縁を該固定部材を跨ぐようにして下方に位置する該防水シート上に接合するとともに、上方に位置する前記防水シートと前記固定部材の固定座面とを接合し、かつ上方に位置する該防水シートを下方に位置する該防水シートの端縁上に接合して成ることを特徴とする。
【０００８】
第五の発明は、構造物上に複数の防水シートを相隣接する各防水シートの端縁が重なるように敷設し、前記構造物と下方に位置する前記防水シートの端縁との間に粘着層を設け、下方に位置する前記防水シートの端縁に沿って、複数の固定アンカーを所定間隔で一列状に配置してなる帯状の固定部材を各固定アンカーを介して留め付けて該防水シートを前記構造物上に固定するとともに、前記固定部材の固定座面と下方に位置する前記防水シートとを接合し、上方に位置する前記防水シートの端縁を該固定部材を跨ぐようにして下方に位置する該防水シート上に接合して成ることを特徴とする。
【０００９】
第六の発明は、構造物上に複数の防水シートを相隣接する各防水シートの端縁が重なるように敷設し、前記構造物と下方に位置する前記防水シートの端縁との間に粘着層を設け、下方に位置する前記防水シートの端縁に沿って、複数の固定アンカーを所定間隔で一列状に配置してなる帯状の固定部材を各固定アンカーを介して留め付けて該防水シートを前記構造物上に固定するとともに、前記固定部材の固定座面と下方に位置する前記防水シートとを接合し、上方に位置する前記防水シートの端縁を該固定部材を跨ぐようにして下方に位置する該防水シート上に接合するとともに、上方に位置する該防水シートを下方に位置する該防水シートの端縁上に接合して成ることを特徴とする。
【００１０】
第七の発明は、構造物上に複数の防水シートを相隣接する各防水シートの端縁が重なるように敷設し、前記構造物と下方に位置する前記防水シートの端縁との間に粘着層を設け、下方に位置する前記防水シートの端縁に沿って、複数の固定アンカーを所定間隔で一列状に配置してなる帯状の固定部材を各固定アンカーを介して留め付けて該防水シートを前記構造物上に固定するとともに、前記固定部材の固定座面と下方に位置する前記防水シートとを接合し、上方に位置する前記防水シートの端縁を該固定部材を跨ぐようにして下方に位置する該防水シート上に接合するとともに、上方に位置する該防水シートと前記固定部材の固定座面とを接合して成ることを特徴とする。
【００１１】
第八の発明は、構造物上に複数の防水シートを相隣接する各防水シートの端縁が重なるように敷設し、前記構造物と下方に位置する前記防水シートの端縁との間に粘着層を設け、下方に位置する前記防水シートの端縁に沿って、複数の固定アンカーを所定間隔で一列状に配置してなる帯状の固定部材を各固定アンカーを介して留め付けて該防水シートを前記構造物上に固定するとともに、前記固定部材の固定座面と下方に位置する前記防水シートとを接合し、上方に位置する前記防水シートの端縁を該固定部材を跨ぐようにして下方に位置する該防水シート上に接合するとともに、上方に位置する前記防水シートと前記固定部材の固定座面とを接合し、かつ上方に位置する該防水シートを下方に位置する該防水シートの端縁上に接合して成ることを特徴とする。
【発明の効果】
【００１２】
本発明によれば、相隣接する防水シートの接合部における防水を確実の行いことができる。
また、本発明によれば、相隣接する防水シートの接合部の強度を上げることができる。
【発明を実施するための最良の形態】
【００１３】
以下、本発明の実施例を示す図面に基づいて説明する。
図１，図２は、本発明の第一実施形態に係る防水シートの固定構造１０を示す。
本実施形態に係る防水シートの固定構造１０は、例えば、下記のようにして形成される。
先ず、陸屋根などの防水すべき壁面などの構造物１１の所定箇所に、一対の防水シート１２を相隣接する各防水シート１２Ａ，１２Ｂの端縁１２ａ，１２ｂが重なるように敷設する。なお、防水シート１２は、合成樹脂により形成され、防水性を有し、かつ極めて引っ張りなどの外力に対しても耐久力を有する。また、防水シート１２はロール状にして現場に搬入される。ここでは、一組の防水シート１２について説明したが、防水シート１２は、構造物に応じて適宜枚数敷設される。
【００１４】
次に、下方に位置する防水シート１２Ａの端縁１２ａに沿って、例えばＳＵＳ板などの長尺の帯板１３ａと針状のアンカー部１３ｂとを有する帯状の固定部材１３を所定間隔で一列状に留め付けて防水シート１２Ａを構造物１１上に固定する。なお、帯板１３ａの肉厚は、後述するように、接合部１４ａを形成した時に３ｍｍ以上の段差を形成できる様に設定することが望ましい。また、帯板１３ａは、防水シート１２Ａを傷つけないように、防水シート１２と同材をラミネートしている。
【００１５】
次に、固定部材１３の帯板１３ａ上に電磁誘電加熱装置を配し、固定部材１３の帯板１３ａの下面１３ｃと下方に位置する防水シート１２Ａとを、電磁誘導加熱による熱融着により接合して接合部１４ａを形成する。
次に、上方に位置する防水シート１２Ｂの端縁１２ｂを固定部材１３を跨ぐようにして下方に位置する防水シート１２Ａ上に配し、両者を接着剤によって接合して接合部１４ｂを形成する。
【００１６】
斯くして構成された本実施形態によれば、固定部材１３の帯板１３ａの下面１３ｃと下方に位置する防水シート１２Ａとが接合部１４ａを介して一体となるため、例えば、図２に示すように、固定部材１３の肉厚部分が堰きを形成し、万一、接合部１４ｂから漏水Ａがあった場合には、漏水Ａを固定部材１３の長手方向に導き、接合部１４ａからの漏水Ａの浸入を防ぐことができる。
【００１７】
以上のように、本実施形態によれば、固定部材１３の下面１３ｃと下方に位置する防水シート１２Ａとを、電磁誘導加熱による熱融着により非常に堅牢に接合してなる接合部１４ａを形成し、接合部１４ａの防水性を確かなものとする。
また、上方に位置する防水シート１２Ｂの端縁１２ｂを固定部材１３を跨ぐようにして下方に位置する防水シート１２Ａ上に接合して接合部１４ｂを形成しているので、固定部材１３の上面１３ｄの被覆材、接着剤等が不要となる。
【００１８】
また、上方に位置する防水シート１２Ｂの端縁１２ｂと下方に位置する防水シート１２Ａとの接合部１４ｂは、一本の接合線であり工数増分が少ない。
なお、上記実施形態では、固定部材１３の帯板１３ａの下面１３ｃと下方に位置する防水シート１２Ａとの接合部１４ａを、電磁誘導加熱による熱融着により形成する場合について説明したが、本発明はこれに限らず、溶剤による溶融着、または接着剤による接着でも良い。これらの場合は、固定アンカー部１３ｂによって防水シート１２Ａを構造物１１上に固定する際に、帯板１３ａの下面１３ｃに溶剤または接着剤を塗布する必要がある。
【００１９】
また、固定部材１３の長さは限界があるので、当然にジョイント部が発生する。そこで、ジョイント部には別途防水処理を施す。
図３、図４は、本発明の第二実施形態に係る防水シートの固定構造２０を示す。
本実施形態に係る防水シートの固定構造２０は、上方に位置する防水シート１２Ｂの接合部１４ｂを２箇所にした点で、第一実施形態とは相違する。
【００２０】
本実施形態では、２箇所の防水部１４ｂの何れかまたは両方から漏水Ａがあっても、図４に示すように、固定部材１３が堰となって漏水Ａを固定部材１３の長手方向に導き、接合部１４ａからの漏水Ａの浸入を防ぐことができる。
本実施形態においても、第一実施形態と同様の作用効果を奏することができる。
図５、図６は、本発明の第三実施形態に係る防水シートの固定構造３０を示す。
【００２１】
本実施形態に係る防水シートの固定構造３０は、固定部材１３の帯板１３ａの上面１３ｄを上方に位置する防水シート１２Ｂに接合した点で、第一実施形態とは相違する。
本実施形態に係る防水シートの固定構造３０は、例えば、下記のようにして形成される。
陸屋根などの防水すべき壁面などの構造物１１の所定箇所に、一対の防水シート１２を相隣接する各防水シート１２Ａ，１２Ｂの端縁１２ａ，１２ｂが重なるように敷設し、下方に位置する防水シート１２Ａの端縁１２ａに沿って、例えばＳＵＳ板などの長尺の帯板１３ａと針状のアンカー部１３ｂとを有する帯状の固定部材１３を所定間隔で一列状に留め付けて防水シート１２Ａを構造物１１上に固定する。
【００２２】
次に、上方に位置する防水シート１２Ｂの端縁１２ｂを固定部材１３を跨ぐようにして下方に位置する防水シート１２Ａ上に重ね、両者を接着剤によって接合して接合部１４ｂを形成する。
次に、上方に位置する防水シート１２Ｂの上に電磁誘電加熱装置を配し、上方に位置する防水シート１２Ｂと固定部材１３の帯板１３ａの上面１３ｄとの間、固定部材１３の帯板１３ａの下面１３ｃと下方に位置する防水シート１２Ａとの間を、電磁誘導加熱による熱融着により接合して、固定部材１３の帯板１３ａの上下面１３ｃ，１３ｄに接合部１４ａ，１４ｃを形成する。
【００２３】
本実施形態によれば、上方に位置する防水シート１２Ｂと固定部材１３の帯板１３ａの上面１３ｄとの間、固定部材１３の帯板１３ａの下面１３ｃと下方に位置する防水シート１２Ａとの間を、電磁誘導加熱による熱融着により接合して、固定部材１３の帯板１３ａの上下面１３ｃ，１３ｄに接合部１４ａ，１４ｃを形成したので、固定部材によって形成される堰が確実に閉塞され、接合部１４ａを確実にシールすることができる。
【００２４】
本実施形態によれば、第一実施形態に係る防水シートの固定構造１０よりも接合部の強度を高めることが可能となる。
本実施形態においても、第一実施形態と同様の作用効果を奏することができる。
なお、上記実施形態では、上方に位置する防水シート１２Ｂと固定部材１３の帯板１３ａの上面１３ｄとの間、および固定部材１３の帯板１３ａの下面１３ｃと下方に位置する防水シート１２Ａとの間を、電磁誘導加熱による熱融着による場合について説明したが、本発明はこれに限らず、溶剤による溶融着、または接着剤による接着でも良い。これらの場合は、固定部材１３を固定アンカー部１３ｂを介して留め付けて帯板１３ａの下面１３ｃを介して防水シート１２Ａを構造物１１上に固定する際、および上方に位置する防水シート１２Ｂと固定部材１３の帯板１３ａの上面１３ｄ上に固定する際に、帯板１３ａの上下面１３ｃ，１３ｄに溶剤または接着剤を塗布する必要がある。
【００２５】
図７，図８は、本発明の第四実施形態に係る防水シートの固定構造４０を示す。
本実施形態に係る防水シートの固定構造４０は、上方に位置する防水シート１２Ｂの接合部１４ｂを２箇所にした点で、第三実施形態とは相違する。
本実施形態においても、第三実施形態と同様の作用効果を奏することができる。
図９，図１０は、本発明の第五実施形態に係る防水シートの固定構造５０を示す。
【００２６】
本実施形態に係る防水シートの固定構造５０は、接合部の下地と下方に位置する防水シート１２Ａの間に、固定部材１３直下を含み、下生地端部までに遮水、防水、撥水性能を持つ粘着または接着するテープ１５を連続して貼設した点で、第一実施形態とは相違する。
ここで、テープ１５は、下方に位置する防水シート１２Ａおよび下地との接着性に優れ、その界面がある程度の防水性を有し、耐久性の高い物が望ましい。これらの性能を満たす粘着材としては、例えばブチルが挙げれる。
【００２７】
界面の防水性には固定部材１３による圧縮力の効力を期待できるが、このとき固定部材１３の帯板１３ａと下生地の溶着完了後、図１１に示すように、固定部材１３による下地への緊定（矢印で示す）を行うことで、より効果をあげることが期待できる。
また、本実施形態においても、第一実施形態と同様の作用効果を奏することができる。
なお、上記実施形態では、テープ１５として、遮水、防水、撥水性能を持つ粘着または接着するものについて説明したが、本発明はこれに限らず、必ずしもそれ自体に粘着および接着性がなくとも、固定部材１３の緊定による圧縮力によって効果を発揮するＥＰＤＭ（エチレン・プロピレン・ジエンゴム）などからなるガスケットでも良い。
【００２８】
図１２，図１３は、本発明の第六実施形態に係る防水シートの固定構造６０を示す。
本実施形態に係る防水シートの固定構造６０は、上方に位置する防水シート１２Ｂの接合部１４ｂを２箇所にした点で、第五実施形態とは相違する。
本実施形態においても、第五実施形態と同様の作用効果を奏することができる。
なお、上記各実施形態では、帯板状の固定部材１３を用いた場合について説明したが、本発明はこれに限らず、例えば、図１４に示すように、帯板の両側をＬ字型に折り曲げて加工した箱断面形状の部材としても良い。
【図面の簡単な説明】
【００２９】
【図１】本発明の第一実施形態に係る防水シートの固定構造１０を示す断面図である。
【図２】図１の防水シートの固定構造１０の作用を示す説明図である。
【図３】本発明の第二実施形態に係る防水シートの固定構造２０を示す断面図である。
【図４】図３の防水シートの固定構造２０の作用を示す説明図である。
【図５】本発明の第三実施形態に係る防水シートの固定構造３０を示す断面図である。
【図６】図５の防水シートの固定構造３０の作用を示す説明図である。
【図７】本発明の第四実施形態に係る防水シートの固定構造４０を示す断面図である。
【図８】図７の防水シートの固定構造４０の作用を示す説明図である。
【図９】本発明の第五実施形態に係る防水シートの固定構造５０を示す断面図である。
【図１０】図９の防水シートの固定構造５０の作用を示す説明図である。
【図１１】図９の防水シートの固定構造５０の作用を示す説明図である。
【図１２】本発明の第六実施形態に係る防水シートの固定構造６０を示す断面図である。
【図１３】図１２の防水シートの固定構造６０の作用を示す説明図である。
【図１４】本発明の用いる別の固定部材を示す斜視図である。
【符号の説明】
【００３０】
１０，２０，３０，４０，５０，６０  防水シートの固定構造
１１  構造物
１２  防水シート
１２Ａ  下方に位置する防水シート
１２Ｂ  上方に位置する防水シート
１２ａ  下方に位置する防水シートの端部
１２ｂ  上方に位置する防水シートの端部
１３  固定部材
１３ａ  固定部材１３の帯板
１３ｂ  固定部材１３のアンカー部
１３ｃ  帯板の下面
１３ｄ  帯板の上面
１４ａ，１４ｂ，１４ｃ  接合部
１５  テープ
【図１】
2007039986.tif 000003
【図２】
2007039986.tif 000004
【図３】
2007039986.tif 000005
【図４】
2007039986.tif 000006
【図５】
2007039986.tif 000007
【図６】
2007039986.tif 000008
【図７】
2007039986.tif 000009
【図８】
2007039986.tif 000010
【図９】
2007039986.tif 000011
【図１０】
2007039986.tif 000012
【図１１】
2007039986.tif 000013
【図１２】
2007039986.tif 000014
【図１３】
2007039986.tif 000015
【図１４】
2007039986.tif 000016